(57)【要約】【課題】患者の選択が誤っているおそれがある場合に、ユーザーに対して注意を促し、患者の選択ミスを防ぐ。【解決手段】往診端末装置１０は、患者毎に、当該患者の所在を示す患者位置情報を記憶する記憶部１６と、記憶部１６に記憶されている患者の中から往診対象患者を選択するための操作部１２と、往診先で現在地を示す現在地位置情報を取得する現在地位置情報取得部１５と、を備え、選択された往診対象患者に対応する患者位置情報を記憶部１６から取得し、当該取得された患者位置情報と現在地位置情報取得部１５により取得された現在地位置情報とを比較し、両者が一致しない場合に警告を行う。【選択図】図１
2017194807.tif 000002
【特許請求の範囲】
【請求項１】
患者毎に、当該患者の所在を示す患者位置情報を記憶する記憶手段と、
前記記憶手段に記憶されている患者の中から往診対象患者を選択するための選択手段と、
往診先で現在地を示す現在地位置情報を取得する現在地位置情報取得手段と、
前記選択された往診対象患者に対応する患者位置情報を前記記憶手段から取得し、当該取得された患者位置情報と前記現在地位置情報取得手段により取得された現在地位置情報とを比較し、両者が一致しない場合に警告を行う制御手段と、
を備える往診端末装置。
【請求項２】
前記制御手段は、前記選択された往診対象患者に対応する患者位置情報と前記現在地位置情報取得手段により取得された現在地位置情報とが一致しない場合に、前記記憶手段に記憶されている患者のうち、前記患者位置情報が示す位置が前記現在地から所定の範囲内にある患者を、往診対象患者候補として抽出し、当該抽出された往診対象患者候補を表示手段に表示させる請求項１に記載の往診端末装置。
【請求項３】
前記患者位置情報及び前記現在地位置情報は、緯度及び経度を含む請求項１又は２に記載の往診端末装置。
【請求項４】
予め各患者の往診先において前記現在地位置情報取得手段により取得された現在地位置情報を、当該患者に対応する患者位置情報として前記記憶手段に記憶させる患者位置情報登録手段を備える請求項１から３のいずれか一項に記載の往診端末装置。
【請求項５】
複数の患者が属する施設について、当該施設内の各部屋と当該部屋内における各ベッドの配置の組み合わせに対して、当該ベッドの位置を示すベッド位置情報を対応付けて記憶する第２記憶手段と、
前記第２記憶手段に記憶されている各部屋と当該部屋内における各ベッドの配置の組み合わせに対して、対応付ける患者を指定するための指定手段と、
を備え、
前記制御手段は、前記指定手段から指定された患者に対して、当該患者が対応付けられた部屋とベッドの配置の組み合わせに対応するベッド位置情報を、当該患者に対応する患者位置情報として用いる請求項１から３のいずれか一項に記載の往診端末装置。
【請求項６】
患者毎に、当該患者の所在を示す患者位置情報を記憶する記憶手段を備える往診端末装置のコンピューターを、
前記記憶手段に記憶されている患者の中から往診対象患者を選択するための選択手段、
往診先で現在地を示す現在地位置情報を取得する現在地位置情報取得手段、
前記選択された往診対象患者に対応する患者位置情報を前記記憶手段から取得し、当該取得された患者位置情報と前記現在地位置情報取得手段により取得された現在地位置情報とを比較し、両者が一致しない場合に警告を行う制御手段、
として機能させるためのプログラム。
【発明の詳細な説明】
【技術分野】
【０００１】
本発明は、往診端末装置及びプログラムに関する。
【背景技術】
【０００２】
近年、医療分野においても情報の電子化が進み、患者情報や医用画像等が電子データとして管理されている。患者を撮影して得られた医用画像の画像データは、その患者と対応付けられて保存される。
【０００３】
例えば、患者を撮影する撮像装置において、撮像装置の位置情報を取得し、位置情報をサーバに送信し、位置情報から特定された患者の情報をサーバから受信することで、患者の情報と撮影画像とを対応付けて記録するものが提案されている（特許文献１参照）。
【先行技術文献】
【特許文献】
【０００４】
【特許文献１】特開２０１５−１３３０４６号公報
【発明の概要】
【発明が解決しようとする課題】
【０００５】
ところで、往診時にも、患者を撮影したり、検査を行ったりして患者から各種データを採取する場合があるが、このデータを患者と対応付けるためには、登録されている多数の患者が表示された患者リストの中から該当患者を選択する必要がある。
【０００６】
この際、ユーザーは、患者ＩＤや患者氏名、同姓同名の患者が存在する場合にはさらに生年月日等、予め患者の詳細な情報を知った上で、患者リストから患者を選択する必要があり、人的な選択ミスを防ぐことは難しかった。そこで、患者の選択が誤っている場合には、ユーザーに対して注意を促すことが望ましい。
【０００７】
本発明は、上記の従来技術における問題に鑑みてなされたものであって、患者の選択が誤っているおそれがある場合に、ユーザーに対して注意を促し、患者の選択ミスを防ぐことを課題とする。
【課題を解決するための手段】
【０００８】
上記課題を解決するために、請求項１に記載の発明は、患者毎に、当該患者の所在を示す患者位置情報を記憶する記憶手段と、前記記憶手段に記憶されている患者の中から往診対象患者を選択するための選択手段と、往診先で現在地を示す現在地位置情報を取得する現在地位置情報取得手段と、前記選択された往診対象患者に対応する患者位置情報を前記記憶手段から取得し、当該取得された患者位置情報と前記現在地位置情報取得手段により取得された現在地位置情報とを比較し、両者が一致しない場合に警告を行う制御手段と、を備える往診端末装置である。
【０００９】
請求項２に記載の発明は、請求項１に記載の往診端末装置において、前記制御手段は、前記選択された往診対象患者に対応する患者位置情報と前記現在地位置情報取得手段により取得された現在地位置情報とが一致しない場合に、前記記憶手段に記憶されている患者のうち、前記患者位置情報が示す位置が前記現在地から所定の範囲内にある患者を、往診対象患者候補として抽出し、当該抽出された往診対象患者候補を表示手段に表示させる。
【００１０】
請求項３に記載の発明は、請求項１又は２に記載の往診端末装置において、前記患者位置情報及び前記現在地位置情報は、緯度及び経度を含む。
【００１１】
請求項４に記載の発明は、請求項１から３のいずれか一項に記載の往診端末装置において、予め各患者の往診先において前記現在地位置情報取得手段により取得された現在地位置情報を、当該患者に対応する患者位置情報として前記記憶手段に記憶させる患者位置情報登録手段を備える。
【００１２】
請求項５に記載の発明は、請求項１から３のいずれか一項に記載の往診端末装置において、複数の患者が属する施設について、当該施設内の各部屋と当該部屋内における各ベッドの配置の組み合わせに対して、当該ベッドの位置を示すベッド位置情報を対応付けて記憶する第２記憶手段と、前記第２記憶手段に記憶されている各部屋と当該部屋内における各ベッドの配置の組み合わせに対して、対応付ける患者を指定するための指定手段と、を備え、前記制御手段は、前記指定手段から指定された患者に対して、当該患者が対応付けられた部屋とベッドの配置の組み合わせに対応するベッド位置情報を、当該患者に対応する患者位置情報として用いる。
【００１３】
請求項６に記載の発明は、患者毎に、当該患者の所在を示す患者位置情報を記憶する記憶手段を備える往診端末装置のコンピューターを、前記記憶手段に記憶されている患者の中から往診対象患者を選択するための選択手段、往診先で現在地を示す現在地位置情報を取得する現在地位置情報取得手段、前記選択された往診対象患者に対応する患者位置情報を前記記憶手段から取得し、当該取得された患者位置情報と前記現在地位置情報取得手段により取得された現在地位置情報とを比較し、両者が一致しない場合に警告を行う制御手段、として機能させるためのプログラムである。
【発明の効果】
【００１４】
本発明によれば、患者の選択が誤っているおそれがある場合に、ユーザーに対して注意を促し、患者の選択ミスを防ぐことができる。
【図面の簡単な説明】
【００１５】
【図１】第１の実施の形態における往診端末装置の機能的構成を示すブロック図である。
【図２】患者情報テーブル、患者位置情報テーブル、画像情報テーブルの構造及びテーブル間の対応関係を示す図である。
【図３】往診端末装置により実行される患者位置情報登録処理を示すフローチャートである。
【図４】患者情報画面を示す図である。
【図５】位置情報登録ダイアログを示す図である。
【図６】往診端末装置により実行される往診時患者選択処理を示すフローチャートである。
【図７】往診端末装置により実行される往診時患者選択処理を示すフローチャートである。
【図８】受付リスト画面を示す図である。
【図９】検索画面を示す図である。
【図１０】ビューアー画面を示す図である。
【図１１】警告メッセージを示す図である。
【図１２】警告メッセージを示す図である。
【図１３】第２の実施の形態における施設内の各部屋における各ベッドの配置例を示す図である。
【図１４】施設内患者位置情報の例を示す図である。
【図１５】患者情報テーブル、患者位置情報テーブル、画像情報テーブル、施設情報マスタテーブル、施設位置情報詳細テーブルの構造及びテーブル間の対応関係を示す図である。
【図１６】患者位置情報テーブルの例を示す図である。
【図１７】施設情報マスタテーブルの例を示す図である。
【図１８】施設位置情報詳細テーブルの例を示す図である。
【発明を実施するための形態】
【００１６】
〔第１の実施の形態〕
まず、本発明に係る往診端末装置の第１の実施の形態について説明する。ただし、発明の範囲は、図示例に限定されない。
【００１７】
図１に、第１の実施の形態における往診端末装置１０の機能的構成を示す。往診端末装置１０は、可搬型ＰＣ（Personal Computer）により構成される。図１に示すように、往診端末装置１０は、制御部１１、操作部１２、表示部１３、通信部１４、現在地位置情報取得部１５、記憶部１６等を備えて構成され、各部はバス１７により接続されている。
【００１８】
制御部１１は、ＣＰＵ（Central Processing Unit）等により構成され、往診端末装置１０の各部の処理動作を統括的に制御する。具体的には、制御部１１は、記憶部１６に記憶されている各種処理プログラムを読み出し、当該プログラムとの協働により各種処理を行う。
【００１９】
操作部１２は、カーソルキー、文字入力キー及び各種機能キー等を備えたキーボードと、マウス等のポインティングデバイスを備えて構成され、キーボードに対するキー操作やマウス操作により入力された操作信号を制御部１１に出力する。また、操作部１２は、表示部１３に積層されたタッチパネルを備え、ユーザーの指等によるタッチ操作の位置を検出し、その位置に応じた操作信号を制御部１１に出力することとしてもよい。操作部１２は、記憶部１６に記憶されている患者の中から往診対象患者を選択する際に用いられる。すなわち、操作部１２は、選択手段として機能する。
【００２０】
表示部１３は、ＬＣＤ（Liquid Crystal Display）により構成され、制御部１１から入力される表示データに基づいて各種画面を表示する。
【００２１】
通信部１４は、外部装置との間でデータの送受信を行うインターフェースである。例えば、通信部１４は、インターネット等の通信ネットワークを介して、外部装置との間でデータの送受信を行う。また、通信部１４は、ＣＲ（Computed Radiography）、ＤＲ（Digital Radiography）、超音波診断装置等から医用画像の画像データ（以下、医用画像データという。）を取得する。
【００２２】
現在地位置情報取得部１５は、往診先で現在地を示す現在地位置情報を取得する。現在地位置情報は、緯度及び経度を含む。現在地位置情報取得部１５は、例えば、インターネットに接続されたＷＥＢブラウザーを介して、往診端末装置１０が存在する位置（現在地）の位置情報を取得する。具体的には、ＩＰアドレスとプロバイダーの所在地とを対応付けたデータベースを利用して、往診端末装置１０のＩＰアドレスから現在地を推定する方法や、周囲のＷｉ−Ｆｉ機器の電波を利用して現在地を推定する方法等が用いられる。
また、現在地位置情報取得部１５は、ＧＰＳ（Global Positioning System）衛星から発信される電波を受信し、現在地を推定するものであってもよい。
【００２３】
記憶部１６は、ハードディスクや不揮発性の半導体メモリー等により構成され、各種データを記憶する。具体的には、記憶部１６には、患者情報テーブルＴ１、患者位置情報テーブルＴ２、画像情報テーブルＴ３、医用画像データ等が記憶されている。
【００２４】
図２に、患者情報テーブルＴ１、患者位置情報テーブルＴ２、画像情報テーブルＴ３の構造及びテーブル間の対応関係を示す。
【００２５】
患者情報テーブルＴ１は、患者に関する患者情報を管理するためのテーブルである。患者情報テーブルＴ１には、患者ＬＩＤ（Link Identification）毎に、患者ＩＤ、患者氏名、生年月日、性別等が対応付けられている。
【００２６】
患者位置情報テーブルＴ２は、患者の所在（住所等）に関する情報を管理するためのテーブルである。患者位置情報テーブルＴ２には、患者位置情報ＬＩＤ毎に、患者ＬＩＤ、郵便番号、住所、患者位置情報等が対応付けられている。患者位置情報は、患者の所在に対応する緯度及び経度を含む。患者位置情報テーブルＴ２内の患者ＬＩＤは、患者情報テーブルＴ１内の患者ＬＩＤとリンクされており、各患者位置情報がいずれの患者に属するものであるかを示している。すなわち、患者情報テーブルＴ１及び患者位置情報テーブルＴ２では、患者毎に、当該患者と、当該患者の所在を示す患者位置情報と、が対応付けられている。
【００２７】
なお、一の患者に対して複数の患者位置情報を対応付けることが可能となっている。つまり、患者位置情報テーブルＴ２において、「患者ＬＩＤ」フィールドの値が同一のレコードが複数存在する場合もある。
【００２８】
画像情報テーブルＴ３は、医用画像データに関する画像情報を管理するためのテーブルである。画像情報テーブルＴ３には、画像情報ＬＩＤ毎に、ＶＩＳＩＴ  ＬＩＤ、患者ＬＩＤ、画像取得日時、デバイスＩＤ、ファイル保存パス、患者位置情報ＬＩＤ等が対応付けられている。ＶＩＳＩＴ  ＬＩＤは、往診や来院を識別するための識別情報である。画像取得日時は、医用画像データが取得（撮影）された日時である。デバイスＩＤは、医用画像データが生成されたモダリティーの識別情報である。ファイル保存パスは、医用画像データのファイルが保存されている場所を示す情報である。画像情報テーブルＴ３内の患者位置情報ＬＩＤは、患者位置情報テーブルＴ２内の患者位置情報ＬＩＤとリンクされており、各医用画像データがどこで取得されたものであるかを示している。
【００２９】
医用画像データは、各種モダリティーにより生成された画像データである。医用画像データのヘッダーには、ＤＩＣＯＭ規格に則って、付帯情報が書き込まれている。
【００３０】
制御部１１は、予め各患者の往診先において現在地位置情報取得部１５により取得された現在地位置情報を、当該患者に対応する患者位置情報として記憶部１６の患者位置情報テーブルＴ２に記憶させる。すなわち、制御部１１は、患者位置情報登録手段として機能する。
【００３１】
制御部１１は、操作部１２から選択された往診対象患者に対応する患者位置情報を記憶部１６から取得し、当該取得された患者位置情報と、往診先で現在地位置情報取得部１５により取得された現在地位置情報と、を比較する。
【００３２】
制御部１１は、選択された往診対象患者に対応する患者位置情報と現在地位置情報取得部１５により取得された現在地位置情報とが一致した場合に、選択された往診対象患者を処理対象の患者として設定する。患者が処理対象に設定されると、例えば、往診端末装置１０において取り込まれた情報（医用画像データ等）や入力された情報が、当該患者と対応付けられて保存されることになる。
【００３３】
制御部１１は、選択された往診対象患者に対応する患者位置情報と現在地位置情報取得部１５により取得された現在地位置情報とが一致しない場合に、警告を行う。
制御部１１は、警告にもかかわらず、ユーザーにより選択された往診対象患者を処理対象の患者とする旨の指示があった場合には、選択された往診対象患者を処理対象の患者として設定する。
【００３４】
制御部１１は、選択された往診対象患者に対応する患者位置情報と現在地位置情報取得部１５により取得された現在地位置情報とが一致しない場合に、記憶部１６に記憶されている患者のうち、患者位置情報が示す位置が現在地から所定の範囲内にある患者を、往診対象患者候補として抽出し、当該抽出された往診対象患者候補を表示部１３に表示させる。
制御部１１は、表示された往診対象患者候補の中からユーザーにより選択された患者を処理対象の患者として設定する。
【００３５】
次に、動作について説明する。
図３は、往診端末装置１０により実行される患者位置情報登録処理を示すフローチャートである。この処理は、各患者に対して予め患者位置情報を登録しておく処理であり、制御部１１と記憶部１６に記憶されているプログラムとの協働によるソフトウェア処理によって実現される。
【００３６】
まず、制御部１１は、患者情報画面を表示部１３に表示させる（ステップＳ１）。
図４に、表示部１３に表示される患者情報画面１３１の一例を示す。
患者情報画面１３１は、各患者に関する情報を登録したり、参照したりするための画面である。
【００３７】
患者情報画面１３１には、住所情報設定領域２０が含まれる。住所情報設定領域２０には、患者の住所（所在）毎に、郵便番号入力欄２１、住所入力欄２２、位置情報登録済みチェックボックス２３が設けられている。また、住所情報設定領域２０には、「位置情報登録」ボタンＢ１、削除ボタンＢ２、追加ボタンＢ３、「住所検索」ボタンＢ４が含まれる。
【００３８】
郵便番号入力欄２１、住所入力欄２２には、それぞれ、郵便番号、住所が入力される。
位置情報登録済みチェックボックス２３は、対応する住所に患者位置情報（緯度及び経度）が登録されているか否かを示すものである。
【００３９】
「位置情報登録」ボタンＢ１は、住所情報設定領域２０において選択されている住所情報に対して、患者位置情報を対応付けて登録するためのボタンである。図４では、住所情報設定領域２０において、２番目の住所情報が選択されている。
削除ボタンＢ２は、住所情報設定領域２０において選択されている住所情報を削除するためのボタンである。
追加ボタンＢ３は、患者情報画面１３１に対応する患者に対して、新たに住所情報を追加するためのボタンである。追加ボタンＢ３が押下されると、郵便番号入力欄２１、住所入力欄２２、位置情報登録済みチェックボックス２３が１行追加される。
「住所検索」ボタンＢ４は、郵便番号入力欄２１に郵便番号が入力された状態で押下されると、郵便番号に対応する住所が住所入力欄２２に自動的に入力される。
【００４０】
ユーザーが操作部１２からの操作により、住所情報設定領域２０においていずれかの住所情報を選択し（ステップＳ２）、「位置情報登録」ボタンＢ１を押下すると（ステップＳ３；ＹＥＳ）、制御部１１は、位置情報登録ダイアログを表示部１３に表示させる（ステップＳ４）。
【００４１】
図５に、位置情報登録ダイアログ１３２の表示例を示す。位置情報登録ダイアログ１３２は、患者の所在を示す患者位置情報（緯度及び経度）の取得方法を選択させるために表示される。位置情報登録ダイアログ１３２には、「住所から登録」ボタンＢ１１、「現在地から登録」ボタンＢ１２が含まれる。
【００４２】
ここで、制御部１１は、操作部１２からの操作により、位置情報登録ダイアログ１３２において、「住所から登録」ボタンＢ１１、「現在地から登録」ボタンＢ１２のいずれが押下されたかを判断する（ステップＳ５）。なお、「現在地から登録」ボタンＢ１２を押下する際には、往診端末装置１０が往診先（登録対象の患者がいる位置）に置かれている必要がある。
【００４３】
「住所から登録」ボタンＢ１１が押下された場合には（ステップＳ５；住所から登録）、制御部１１は、ステップＳ２で選択された住所情報に含まれる住所に対応する位置情報（緯度及び経度）を取得する（ステップＳ６）。具体的には、制御部１１は、インターネットを介して住所から位置情報を取得するツールを利用する。住所から位置情報を取得するＡＰＩ（Application Programming Interface）として、例えば、国土交通省の位置参照情報ダウンロードサービス、Yahoo!ジオコーダＡＰＩ、Google（登録商標） Geocoding（登録商標） V3等が挙げられる。
【００４４】
ステップＳ５において、「現在地から登録」ボタンＢ１２が押下された場合には（ステップＳ５；現在地から登録）、制御部１１は、現在地位置情報取得部１５に、現在地に対応する位置情報（緯度及び経度）を取得させる（ステップＳ７）。例えば、現在地位置情報取得部１５は、インターネットを介してGoogleマップを利用し、現在地に対応する位置情報を取得する。この際、現在地位置情報取得部１５は、現在地周辺の地図を表示部１３に表示させ、地図上に現在地を示すアイコン及び現在地に対応する緯度・経度を表示させ、ユーザーに確認を求めるようにしてもよい。
【００４５】
ステップＳ６又はステップＳ７の後、制御部１１は、取得された位置情報を患者位置情報テーブルＴ２に登録する（ステップＳ８）。具体的には、制御部１１は、新たな患者位置情報ＬＩＤを生成し、患者位置情報テーブルＴ２の新たなレコードとして、この患者位置情報ＬＩＤを「患者位置情報ＬＩＤ」フィールドに格納するとともに、患者情報画面１３１に対応する患者の患者ＬＩＤを「患者ＬＩＤ」フィールドに格納し、ステップＳ６又はステップＳ７で取得された位置情報（緯度・経度）を「患者位置情報」フィールドに格納する。また、制御部１１は、郵便番号入力欄２１、住所入力欄２２において入力された情報を、それぞれ、「郵便番号」フィールド、「住所」フィールドに格納する。
次に、制御部１１は、位置情報が登録された住所情報に対応する位置情報登録済みチェックボックス２３をオン状態にする（ステップＳ９）。
【００４６】
ステップＳ９の後、又は、ステップＳ３において、「位置情報登録」ボタンＢ１が押下されない場合には（ステップＳ３；ＮＯ）、患者位置情報登録処理が終了する。
【００４７】
図６及び図７は、往診端末装置１０により実行される往診時患者選択処理を示すフローチャートである。この処理は、医師が患者を往診した際に行われる処理であり、制御部１１と記憶部１６に記憶されているプログラムとの協働によるソフトウェア処理によって実現される。
【００４８】
まず、制御部１１は、患者リスト画面を表示部１３に表示させる（ステップＳ１１）。患者リスト画面として、受付リスト画面や検索画面が用いられる。
【００４９】
図８に、表示部１３に表示される受付リスト画面１３３の一例を示す。
受付リスト画面１３３には、患者リスト表示欄３１等が含まれる。患者リスト表示欄３１には、記憶部１６に記憶されている患者の中から、当日の往診先として予め登録されている患者のリストが表示される。
【００５０】
図９に、表示部１３に表示される検索画面１３４の一例を示す。
検索画面１３４は、患者ＩＤ、患者氏名等の検索条件に従って、条件に該当する患者のリストを表示する際に用いられる。
検索画面１３４には、患者リスト表示欄４１等が含まれる。患者リスト表示欄４１には、記憶部１６に記憶されている患者の中から、検索結果として抽出された患者のリストが表示される。
【００５１】
次に、ユーザーは、操作部１２からの操作により、患者リストからいずれかの患者（往診対象患者）を選択する（ステップＳ１２）。
なお、記憶部１６に記憶されている全ての患者の中から、いずれかの患者を選択することとしてもよい。
【００５２】
次に、制御部１１は、現在地位置情報取得部１５に、現在地に対応する位置情報（現在地位置情報）を取得させる（ステップＳ１３）。
【００５３】
次に、制御部１１は、選択された患者に対応する患者位置情報を取得する（ステップＳ１４）。具体的には、制御部１１は、記憶部１６に記憶されている患者位置情報テーブルＴ２において、「患者ＬＩＤ」フィールドの情報が選択された患者の患者ＬＩＤと一致するレコードを抽出し、当該抽出されたレコード内の「患者位置情報」フィールドの情報を取得する。
【００５４】
次に、制御部１１は、ステップＳ１４において取得された患者位置情報と、ステップＳ１３において取得された現在地位置情報と、を比較する（ステップＳ１５）。
【００５５】
次に、図７に移り、制御部１１は、選択された患者に対応する患者位置情報と、現在地位置情報取得部１５により取得された現在地位置情報と、が一致するか否かを判断する（ステップＳ１６）。ステップＳ１４において、選択された患者に対応する患者位置情報が複数取得された場合には、いずれかの患者位置情報が現在地位置情報と一致したときに、位置情報が一致したと判断する。
なお、患者位置情報と現在地位置情報とを比較するにあたり、予め定められている範囲内であれば、一致と判断することとしてもよい。
【００５６】
選択された患者に対応する患者位置情報と、現在地位置情報取得部１５により取得された現在地位置情報と、が一致した場合には（ステップＳ１６；ＹＥＳ）、制御部１１は、選択された患者のビューアー画面を表示部１３に表示させる（ステップＳ２４）。ビューアー画面は、処理対象の患者に関する患者情報や医用画像を表示するための画面である。選択された患者のビューアー画面が表示されることで、当該患者が処理対象に設定される。
【００５７】
図１０に、表示部１３に表示されるビューアー画面１３５の一例を示す。
ビューアー画面１３５には、画像表示欄５１が含まれる。画像表示欄５１には、処理対象患者を撮影して得られた過去の医用画像や、往診先で取り込まれた医用画像が表示される。
【００５８】
ステップＳ１６において、選択された患者に対応する患者位置情報と、現在地位置情報取得部１５により取得された現在地位置情報と、が一致しない場合には（ステップＳ１６；ＮＯ）、制御部１１は、患者位置情報が示す位置が現在地から所定の範囲内の患者を検索する（ステップＳ１７）。具体的には、制御部１１は、記憶部１６に記憶されている患者位置情報テーブルＴ２において、「患者位置情報」フィールドの情報が現在地から所定の範囲内（例えば、半径１０ｍ以内、半径１００ｍ以内等）のレコードを抽出し、レコード内の患者ＬＩＤを取得する。すなわち、制御部１１は、この患者ＬＩＤに対応する患者を往診対象患者候補として抽出する。
【００５９】
該当患者がいない場合（ステップＳ１８；ＮＯ）、すなわち、患者位置情報が示す位置が現在地から所定の範囲内の患者がいない場合には、制御部１１は、選択された患者に対応する患者位置情報と現在地位置情報とが一致しないことを含む警告メッセージを表示部１３に表示させる（ステップＳ１９）。
【００６０】
図１１に、表示部１３に表示される警告メッセージ１３６の一例を示す。
警告メッセージ１３６には、選択された患者の住所（に対応する患者位置情報）が現在地と異なることを示すメッセージが表示されるとともに、「はい」ボタンＢ２１、「いいえ」ボタンＢ２２が表示される。
警告メッセージ１３６内の患者の情報は、患者ＬＩＤに基づいて、患者情報テーブルＴ１及び患者位置情報テーブルＴ２から取得される。
【００６１】
ユーザーは、操作部１２からの操作により、「はい」ボタンＢ２１又は「いいえ」ボタンＢ２２を押下する。制御部１１は、「はい」ボタンＢ２１が押下されたか否かを判断する（ステップＳ２０）。
【００６２】
「はい」ボタンＢ２１が押下された場合には（ステップＳ２０；ＹＥＳ）、制御部１１は、ステップＳ１２で選択された患者のビューアー画面を表示部１３に表示させる（ステップＳ２４）。
【００６３】
ステップＳ２０において、「はい」ボタンＢ２１が押下されなかった場合（ステップＳ２０；ＮＯ）、すなわち、「いいえ」ボタンＢ２２が押下された場合には、ステップＳ１１に戻る。
【００６４】
ステップＳ１８において、該当患者がいる場合（ステップＳ１８；ＹＥＳ）、すなわち、患者位置情報が示す位置が現在地から所定の範囲内の患者がいる場合には、制御部１１は、選択された患者に対応する患者位置情報と現在地位置情報とが一致しないこと、及び、現在地に該当する患者（往診対象患者候補）が他にいることを含む警告メッセージを表示部１３に表示させる（ステップＳ２１）。
【００６５】
図１２に、表示部１３に表示される警告メッセージ１３７の一例を示す。
警告メッセージ１３７には、選択された患者の住所（に対応する患者位置情報）が現在地と異なること、及び、現在地に該当する患者が他にいることを示すメッセージが表示される。また、警告メッセージ１３７には、選択患者表示欄６１、往診対象患者候補表示欄６２、「確定」ボタンＢ３１、「キャンセル」ボタンＢ３２が含まれる。
選択患者表示欄６１には、ステップＳ１２においてユーザーにより選択された患者が表示される。また、選択患者表示欄６１には、チェックボックス６３が設けられている。
往診対象患者候補表示欄６２には、現在地から所定の範囲内の患者（往診対象患者候補）が表示される。また、往診対象患者候補表示欄６２には、往診対象患者候補毎に、チェックボックス６４が設けられている。
各患者の情報は、患者ＬＩＤに基づいて、患者情報テーブルＴ１及び患者位置情報テーブルＴ２から取得される。
【００６６】
ユーザーは、操作部１２からの操作により、警告メッセージ１３７において表示された患者の中からいずれかの患者を選択する（ステップＳ２２）。具体的には、選択患者表示欄６１の患者を選択する場合には、チェックボックス６３にチェックを入れ、往診対象患者候補表示欄６２の患者を選択する場合には、チェックボックス６４にチェックを入れる。
【００６７】
次に、ユーザーは、操作部１２からの操作により、「確定」ボタンＢ３１又は「キャンセル」ボタンＢ３２を押下する。制御部１１は、「確定」ボタンＢ３１が押下されたか否かを判断する（ステップＳ２３）。
【００６８】
「確定」ボタンＢ３１が押下された場合には（ステップＳ２３；ＹＥＳ）、制御部１１は、ステップＳ２２で選択された患者のビューアー画面を表示部１３に表示させる（ステップＳ２４）。
【００６９】
ステップＳ２３において、「確定」ボタンＢ３１が押下されなかった場合（ステップＳ２３；ＮＯ）、すなわち、「キャンセル」ボタンＢ３２が押下された場合には、ステップＳ１１に戻る。
【００７０】
ステップＳ２４の後、制御部１１は、通信部１４を介して接続されたモダリティーから、往診先の患者を撮影して得られた医用画像データを取得する（ステップＳ２５）。
【００７１】
制御部１１は、取得された医用画像データに、往診先に対応する位置情報を対応付けて保存する（ステップＳ２６）。具体的には、制御部１１は、記憶部１６の画像情報テーブルＴ３において、取得された医用画像データに対応するレコードを追加し、新たな画像情報ＬＩＤを生成して「画像情報ＬＩＤ」フィールドに格納するとともに、「患者位置情報ＬＩＤ」フィールドに、ステップＳ２４で表示されたビューアー画面に対応する患者（処理対象患者）の往診先に対応する「患者位置情報ＬＩＤ」を格納する。
【００７２】
より詳細には、ステップＳ１２で選択された患者に対応する患者位置情報と現在地位置情報とが一致した場合（ステップＳ１６；ＹＥＳ）、又は、ステップＳ２２で（ステップＳ１２で選択された患者ではなく）往診対象患者候補が選択された場合には、制御部１１は、患者位置情報テーブルＴ２から選択患者（患者ＬＩＤ）に対応付けられている患者位置情報ＬＩＤを取得し、取得された患者位置情報ＬＩＤを画像情報テーブルＴ３の「患者位置情報ＬＩＤ」フィールドに格納する。選択患者に対応付けられている患者位置情報ＬＩＤが複数存在する場合には、現在地に対応する患者位置情報ＬＩＤを採用する。
一方、ステップＳ１２で選択された患者に対応する患者位置情報と現在地位置情報とが一致せず（ステップＳ１６；ＮＯ）、警告したにもかかわらず、ステップＳ１２で選択された患者が処理対象患者として設定された場合には、制御部１１は、新たな患者位置情報ＬＩＤを生成し、患者位置情報テーブルＴ２の新たなレコードとして、この患者位置情報ＬＩＤを「患者位置情報ＬＩＤ」フィールドに格納するとともに、「患者ＬＩＤ」フィールドに該当患者の患者ＬＩＤを格納し、「患者位置情報」フィールドに現在地位置情報を格納する。また、制御部１１は、画像情報テーブルＴ３に追加されたレコードの「患者位置情報ＬＩＤ」フィールドに、患者位置情報テーブルＴ２に追加されたレコードの患者位置情報ＬＩＤを格納する。なお、患者位置情報テーブルＴ２の郵便番号及び住所については、後から登録可能とする。
【００７３】
また、制御部１１は、医用画像データのヘッダーに往診先に対応する位置情報として、患者位置情報テーブルＴ２から取得した患者位置情報を書き込み、医用画像データを記憶部１６に記憶させる。また、制御部１１は、従来と同様、医用画像データのヘッダーに患者情報を格納する。
【００７４】
また、制御部１１は、画像情報テーブルＴ３の「ＶＩＳＩＴ  ＬＩＤ」フィールド、「患者ＬＩＤ」フィールド、「画像取得日時」フィールド、「デバイスＩＤ」フィールド、「ファイル保存パス」フィールドに、それぞれ、ＶＩＳＩＴ  ＬＩＤ、処理対象患者の患者ＬＩＤ、画像取得日時、モダリティーのデバイスＩＤ、医用画像データの保存場所を格納する。
以上で、往診時患者選択処理が終了する。
【００７５】
以上説明したように、第１の実施の形態によれば、選択された往診対象患者に対応する患者位置情報と現在地位置情報とが一致しない場合に、警告を行うので、患者の選択が誤っているおそれがある場合に、ユーザーに対して注意を促し、患者の選択ミスを防ぐことができる。したがって、或る患者について取得したデータを、別患者に対応付けてしまうリスクを低減させることができる。
【００７６】
また、選択された往診対象患者に対応する患者位置情報と現在地位置情報とが一致しない場合に、患者位置情報が示す位置が現在地から所定の範囲内の患者を表示するので、選択された患者以外に、往診対象患者候補を提示することができる。
【００７７】
また、患者位置情報を登録する際に、予め各患者の往診先において現在地位置情報取得部１５により取得された現在地位置情報を、当該患者に対応する患者位置情報として患者位置情報テーブルＴ２に記憶させることで、患者位置情報の登録を容易に行うことができる。
【００７８】
なお、図６及び図７に示した往診時患者選択処理では、或る患者を処理対象として設定する例として、当該患者のビューアー画面を表示する場合について説明したが、この例に限定されない。
【００７９】
〔第２の実施の形態〕
次に、本発明を適用した第２の実施の形態について説明する。
第２の実施の形態における往診端末装置は、第１の実施の形態に示した往診端末装置１０と同様の構成であるため、図１を援用し、その構成については図示及び説明を省略する。以下、第２の実施の形態に特徴的な構成及び処理について説明する。
【００８０】
第２の実施の形態では、複数の患者が属する施設における、各患者に対応する位置情報の登録方法及び利用方法について説明する。
図１３に、或る施設内の各部屋における各ベッドの配置例を示す。部屋番号１０１号室には、ベッド１〜６が配置され、各ベッド１〜６を含む領域が１患者の領域単位として設定されている。
【００８１】
図１４は、記憶部１６に記憶される施設内患者位置情報７０の例である。施設内患者位置情報７０には、施設名、施設位置情報、部屋番号、部屋位置情報、ベッド番号、ベッド位置情報が予め対応付けられている。また、施設内患者位置情報７０において、部屋番号及びベッド番号の組み合わせに対して、患者ＬＩＤ及び患者氏名が対応付けられる。
施設名は、施設の名称である。施設位置情報は、施設の領域（矩形）を示す情報であり、領域の四隅それぞれに該当する緯度・経度を含む。部屋番号は、各部屋の番号である。部屋位置情報は、該当する部屋の領域を示す情報であり、領域の四隅それぞれに該当する緯度・経度を含む。ベッド番号は、各ベッドの配置を示す番号である。ベッド位置情報は、該当するベッドの領域を示す情報であり、領域の四隅それぞれに該当する緯度・経度を含む。施設位置情報、部屋位置情報、ベッド位置情報を登録する際には、現在地位置情報取得部１５により、その場で位置情報を取得すればよい。
【００８２】
すなわち、施設内患者位置情報７０では、複数の患者が属する施設について、当該施設内の各部屋と当該部屋内における各ベッドの配置の組み合わせに対して、当該ベッドの位置を示すベッド位置情報が対応付けられている。
なお、図１４に示した施設内患者位置情報７０において、「施設名」フィールド、「施設位置情報」フィールド、「部屋番号」フィールド、「部屋位置情報」フィールドにおける空欄部分は、上の行と同じ情報であることを示している。
【００８３】
記憶部１６には、患者情報テーブルＴ１、患者位置情報テーブルＴ２、画像情報テーブルＴ３、医用画像データに加え、施設情報マスタテーブルＴ４、施設位置情報詳細テーブルＴ５等が記憶されている。図１５に、患者情報テーブルＴ１、患者位置情報テーブルＴ２、画像情報テーブルＴ３、施設情報マスタテーブルＴ４、施設位置情報詳細テーブルＴ５の構造及びテーブル間の対応関係を示す。また、図１６〜図１８に、それぞれ、患者位置情報テーブルＴ２、施設情報マスタテーブルＴ４、施設位置情報詳細テーブルＴ５の例を示す。
【００８４】
患者位置情報テーブルＴ２には、患者位置情報ＬＩＤ毎に、患者ＬＩＤ、郵便番号、住所、患者位置情報、施設情報マスタＬＩＤ、施設位置情報詳細テーブルＬＩＤ等が対応付けられている。
郵便番号、住所、患者位置情報については、個人宅用の情報であり、該当するレコードが施設居者用の情報である場合には、ＮＵＬＬとなる。
施設情報マスタＬＩＤは、施設情報マスタテーブルＴ４の各レコードに付与された識別情報である。施設位置情報詳細テーブルＬＩＤは、施設位置情報詳細テーブルＴ５の各レコードに付与された識別情報である。患者位置情報テーブルＴ２において、施設情報マスタＬＩＤ、施設位置情報詳細テーブルＬＩＤについては、施設居者用の情報であり、該当するレコードが個人宅用の情報である場合には、ＮＵＬＬとなる。
【００８５】
施設情報マスタテーブルＴ４は、施設毎の施設情報を管理するためのテーブルである。施設情報マスタテーブルＴ４には、施設情報マスタＬＩＤ毎に、施設コード、施設名、施設位置情報、施設郵便番号、施設住所、大分類カテゴリー名称、中分類カテゴリー名称、小分類カテゴリー名称等が対応付けられている。施設コード、施設名は、それぞれ、各施設に付与された識別情報、各施設の名称である。施設位置情報は、施設内患者位置情報７０（図１４参照）における「施設位置情報」と同様である。施設郵便番号、施設住所は、それぞれ、各施設の郵便番号、各施設の住所である。大分類カテゴリー名称、中分類カテゴリー名称、小分類カテゴリー名称は、それぞれ、施設内における場所を特定するための分類区分の名称である。大分類カテゴリー名称については、ここでは使用しないが、中分類カテゴリー名称としては、例えば「部屋番号」という文字列が登録され、小分類カテゴリー名称としては、例えば「ベッド番号」という文字列が登録されている。施設情報マスタテーブルＴ４内の施設情報マスタＬＩＤは、患者位置情報テーブルＴ２内の施設情報マスタＬＩＤとリンクされており、患者位置情報テーブルＴ２の各レコードがどの施設に対応するものであるかを示している。
【００８６】
施設位置情報詳細テーブルＴ５は、施設毎の詳細な位置情報を管理するためのテーブルである。施設位置情報詳細テーブルＴ５には、施設位置情報詳細テーブルＬＩＤ毎に、施設情報マスタＬＩＤ、大分類コード、大分類名称、大分類位置情報、中分類コード、中分類名称、中分類位置情報、小分類コード、小分類名称、小分類位置情報、患者ＬＩＤ、患者氏名等が対応付けられている。
大分類コード、大分類名称、大分類位置情報については、ここでは使用しないため、説明を省略する。なお、施設内の分類区分がより細かい場合には、大分類も使用する。
中分類コード、中分類名称、中分類位置情報は、それぞれ、施設内の各部屋に付与された識別情報、各部屋の名称、各部屋の位置情報である。中分類名称は、施設内患者位置情報７０における「部屋番号」に対応している。中分類位置情報は、施設内患者位置情報７０における「部屋位置情報」に対応している。
小分類コード、小分類名称、小分類位置情報は、それぞれ、部屋内の各ベッドの配置に付与された識別情報、各ベッドの名称、各ベッドの位置情報である。小分類名称は、施設内患者位置情報７０における「ベッド番号」に対応している。小分類位置情報は、施設内患者位置情報７０における「ベッド位置情報」に対応している。
患者ＬＩＤ、患者氏名は、それぞれ、中分類で特定された部屋及び小分類で特定されたベッドの配置の組み合わせに対応付けられた患者の患者ＬＩＤ、氏名である。
【００８７】
施設位置情報詳細テーブルＴ５内の施設情報マスタＬＩＤは、患者位置情報テーブルＴ２内の施設情報マスタＬＩＤとリンクされており、施設位置情報詳細テーブルＴ５内の患者ＬＩＤは、患者位置情報テーブルＴ２内の患者ＬＩＤとリンクされている。すなわち、患者位置情報テーブルＴ２及び施設位置情報詳細テーブルＴ５から、集合施設に属する各患者に対応する患者位置情報（小分類位置情報）が求められる。
【００８８】
操作部１２は、記憶部１６に記憶されている施設内患者位置情報７０において、各部屋（部屋番号）と当該部屋内における各ベッドの配置（ベッド番号）の組み合わせに対して、対応付ける患者を指定する際に用いられる。すなわち、操作部１２は、指定手段として機能する。
制御部１１は、操作部１２から指定された患者に対して、当該患者が対応付けられた部屋とベッドの配置の組み合わせに対応するベッド位置情報を、当該患者に対応する患者位置情報として用いる。
【００８９】
次に、動作について説明する。
患者位置情報を登録する際には、制御部１１は、記憶部１６に記憶されている施設内患者位置情報７０（図１４参照）を読み出し、表示部１３に表示させる。
ユーザーは、操作部１２からの操作により、施設毎に、施設内の各部屋と当該部屋内における各ベッドの配置の組み合わせに対して、対応付ける患者を指定する。具体的には、施設内患者位置情報７０の「患者ＬＩＤ」フィールド及び「患者氏名」フィールドに対して、該当する患者の患者ＬＩＤ、氏名を入力する。
【００９０】
次に、制御部１１は、操作部１２から登録された情報（患者ＬＩＤ、氏名）を含む施設内患者位置情報７０を、ＣＳＶ形式のファイルに変換する。
次に、制御部１１は、このＣＳＶ形式のファイルのデータを読み込み、読み込んだデータを記憶部１６の施設位置情報詳細テーブルＴ５に格納する。具体的には、制御部１１は、読み込んだデータ内の「施設名」に対応する「施設情報マスタＬＩＤ」を施設情報マスタテーブルＴ４から取得し、施設位置情報詳細テーブルＴ５の「施設情報マスタＬＩＤ」フィールドに格納する。また、制御部１１は、読み込んだデータ内の「部屋番号」、「部屋位置情報」、「ベッド番号」、「ベッド位置情報」、「患者ＬＩＤ」、「患者氏名」を、施設位置情報詳細テーブルＴ５の「中分類名称」フィールド、「中分類位置情報」フィールド、「小分類名称」フィールド、「小分類位置情報」フィールド、「患者ＬＩＤ」フィールド、「患者氏名」フィールドにそれぞれ格納する。なお、制御部１１は、施設位置情報詳細テーブルＴ５の「施設位置情報詳細テーブルＬＩＤ」については、レコード順に付与し、「中分類コード」及び「小分類コード」については、分類が変わる毎に順に付与していく。
【００９１】
なお、各患者に対して、部屋の移動やベッド位置の変更等があった場合には、制御部１１は、その都度施設内患者位置情報７０を更新し、施設位置情報詳細テーブルＴ５に反映させる。
【００９２】
往診時患者選択処理（図６及び図７参照）については、第１の実施の形態と異なる処理のみを説明する。
ステップＳ１４において、制御部１１は、選択された患者に対応する患者位置情報を取得する。具体的には、制御部１１は、記憶部１６に記憶されている施設位置情報詳細テーブルＴ５において、「患者ＬＩＤ」フィールドの情報が選択された患者の患者ＬＩＤと一致するレコードを抽出し、レコード内の「小分類位置情報」フィールドの情報を取得し、患者位置情報とする。また、制御部１１は、抽出されたレコード内の「施設情報マスタＬＩＤ」フィールドの情報を取得し、選択された患者が属する施設を特定する。
【００９３】
ステップＳ１５，Ｓ１６において、制御部１１は、選択された患者に対応する患者位置情報（小分類位置情報）と、現在地位置情報取得部１５により取得された現在地位置情報と、を比較し、両者が一致するか否かを判断する。具体的には、制御部１１は、選択された患者に対応する小分類位置情報が示すベッドの領域に、現在地位置情報が示す現在地が含まれる場合に、選択された患者に対応する患者位置情報と現在地位置情報とが一致すると判断する。
【００９４】
ステップＳ１７において、制御部１１は、患者位置情報（小分類位置情報）が示す位置が現在地から所定の範囲内の患者を検索する。具体的には、制御部１１は、記憶部１６に記憶されている施設位置情報詳細テーブルＴ５において、「小分類位置情報」フィールドの情報が示すベッドの領域が、現在地から所定の範囲内のレコードを抽出し、レコード内の患者ＬＩＤ及び施設情報マスタＬＩＤを取得する。この患者ＬＩＤ及び施設情報マスタＬＩＤによって、患者及び施設が特定される。制御部１１は、この患者ＬＩＤに対応する患者を往診対象患者候補として抽出する。
【００９５】
ステップＳ２６において、制御部１１は、取得された医用画像データに、往診先に対応する位置情報を対応付けて保存する。具体的には、制御部１１は、記憶部１６の画像情報テーブルＴ３において、取得された医用画像データに対応するレコードを追加し、新たな画像情報ＬＩＤを生成して「画像情報ＬＩＤ」フィールドに格納するとともに、「患者位置情報ＬＩＤ」フィールドに、ステップＳ２４で表示されたビューアー画面に対応する患者（処理対象患者）の往診先に対応する「患者位置情報ＬＩＤ」を格納する。
【００９６】
より詳細には、ステップＳ１２で選択された患者に対応する患者位置情報（小分類位置情報）と現在地位置情報とが一致した場合（ステップＳ１６；ＹＥＳ）、又は、ステップＳ２２において（ステップＳ１２で選択された患者ではなく）往診対象患者候補が選択された場合には、制御部１１は、患者位置情報テーブルＴ２から選択患者の患者ＬＩＤ及び施設情報マスタＬＩＤに対応付けられている患者位置情報ＬＩＤを取得し、取得された患者位置情報ＬＩＤを画像情報テーブルＴ３の「患者位置情報ＬＩＤ」フィールドに格納する。
【００９７】
また、制御部１１は、医用画像データのヘッダーに往診先に対応する位置情報として、施設位置情報詳細テーブルＴ５から取得した小分類位置情報を書き込み、医用画像データを記憶部１６に記憶させる。
【００９８】
一方、ステップＳ１２で選択された患者に対応する患者位置情報と現在地位置情報とが一致せず（ステップＳ１６；ＮＯ）、警告したにもかかわらず、ステップＳ１２で選択された患者が処理対象患者として設定された場合における、画像情報テーブルＴ３の「患者位置情報ＬＩＤ」フィールドへの患者位置情報ＬＩＤの格納方法、医用画像データのヘッダーへの位置情報の格納方法については、第１の実施の形態と同様である。
【００９９】
また、制御部１１は、画像情報テーブルＴ３の「ＶＩＳＩＴ  ＬＩＤ」フィールド、「患者ＬＩＤ」フィールド、「画像取得日時」フィールド、「デバイスＩＤ」フィールド、「ファイル保存パス」フィールドに、それぞれ、ＶＩＳＩＴ  ＬＩＤ、処理対象患者の患者ＬＩＤ、画像取得日時、モダリティーのデバイスＩＤ、医用画像データの保存場所を格納する。
【０１００】
以上説明したように、第２の実施の形態によれば、第１の実施の形態と同様、患者の選択が誤っているおそれがある場合に、ユーザーに対して注意を促し、患者の選択ミスを防ぐことができる。
また、老人ホーム等、複数の患者が属する施設では、予め、各部屋及び各ベッドの配置に対してベッド位置情報を登録し、部屋及びベッドの配置に対して患者を対応付けることで、患者に対応する患者位置情報を容易に登録することができる。
【０１０１】
なお、往診先で患者を選択する際に、集合施設の場合、部屋番号とベッド番号での絞り込みを可能としてもよい。
例えば、検索画面に「施設名選択欄」が設けられ、施設情報マスタテーブルＴ４に登録されている各施設の「施設名」が選択肢として表示される。「施設名選択欄」において、いずれかの「施設名」が選択されると、施設情報マスタテーブルＴ４で、この「施設名」に対応付けられている「中分類カテゴリー名称」及び「小分類カテゴリー名称」が取得され、中分類に対応する項目名が「部屋番号」に設定され、小分類に対応する項目名が「ベッド番号」に設定される。
次に、選択された「施設名」に対応付けられている「施設情報マスタＬＩＤ」が施設情報マスタテーブルＴ４から取得され、施設位置情報詳細テーブルＴ５から、この「施設情報マスタＬＩＤ」を含むレコードが抽出され、各レコードに含まれる「中分類名称（１０１号室、１０２号室、・・・）」が「部屋番号」の選択肢として表示される。
次に、いずれかの「中分類名称」が選択されると、施設位置情報詳細テーブルＴ５から抽出されたレコードのうち、選択された「中分類名称」に該当するもののみが残され、残された各レコードに含まれる「小分類名称（ベッド１、ベッド２、・・・）」が「ベッド番号」の選択肢として表示される。
次に、いずれかの「小分類名称」が選択され、検索ボタンが押下されると、施設位置情報詳細テーブルＴ５において、選択された「中分類名称（部屋番号）」と「小分類名称（ベッド番号）」の組み合わせに対応付けられている「患者ＬＩＤ」が取得され、患者が特定される。
【０１０２】
また、上記各実施の形態における記述は、本発明に係る往診端末装置の例であり、これに限定されるものではない。装置を構成する各部の細部構成及び細部動作に関しても本発明の趣旨を逸脱することのない範囲で適宜変更可能である。
【０１０３】
以上の説明では、各処理を実行するためのプログラムを格納したコンピューター読み取り可能な媒体としてハードディスクや不揮発性の半導体メモリー等を使用した例を開示したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１０４】
１０  往診端末装置
１１  制御部
１２  操作部
１３  表示部
１４  通信部
１５  現在地位置情報取得部
１６  記憶部
７０  施設内患者位置情報
１３１  患者情報画面
１３２  位置情報登録ダイアログ
１３３  受付リスト画面
１３４  検索画面
１３５  ビューアー画面
１３６  警告メッセージ
１３７  警告メッセージ
Ｔ１  患者情報テーブル
Ｔ２  患者位置情報テーブル
Ｔ３  画像情報テーブル
Ｔ４  施設情報マスタテーブル
Ｔ５  施設位置情報詳細テーブル
【図１】
2017194807.tif 000003
【図２】
2017194807.tif 000004
【図３】
2017194807.tif 000005
【図４】
2017194807.tif 000006
【図５】
2017194807.tif 000007
【図６】
2017194807.tif 000008
【図７】
2017194807.tif 000009
【図８】
2017194807.tif 000010
【図９】
2017194807.tif 000011
【図１０】
2017194807.tif 000012
【図１１】
2017194807.tif 000013
【図１２】
2017194807.tif 000014
【図１３】
2017194807.tif 000015
【図１４】
2017194807.tif 000016
【図１５】
2017194807.tif 000017
【図１６】
2017194807.tif 000018
【図１７】
2017194807.tif 000019
【図１８】
2017194807.tif 000020